(57)【要約】【課題】ＴＤＭＡの通信信号から所望の成分を抽出するための労力を軽減する。【解決手段】第一トリガ信号を分周し、第二トリガ信号を生成する。第二トリガ信号の間隔はＴＤＭＡ信号のスロットの間隔と等しい。この条件の下、第二トリガ信号が発生してから信号位置（“２”の位置）に基づく所定回数（２回）だけ第一トリガ信号が発生した時に、Ａ／Ｄ変換用トリガ信号を生成する。ＴＤＭＡ信号はＡ／Ｄ変換用トリガ信号が生成された時にＡ／Ｄ変換される。よって、Ａ／Ｄ変換手段は、ＴＤＭＡ信号の全てをＡ／Ｄ変換する必要が無く、受信対象の信号を効率良くＡ／Ｄ変換することができる。したがって、ＴＤＭＡ信号から所望の成分を抽出するための労力を軽減できる。【選択図】　図２
2004040288.tif 000002
【特許請求の範囲】
【請求項１】
受信対象の信号が含まれているＴＤＭＡ信号を受信するＴＤＭＡ信号受信装置であって、
所定の間隔で発生する第一トリガ信号と、前記ＴＤＭＡ信号の１スロット分の間隔で発生し、前記第一トリガ信号を分周することにより得られる第二トリガ信号とを生成するトリガ信号生成手段と、
前記第一トリガ信号の発生時に、前記ＴＤＭＡ信号をＡ／Ｄ変換するＡ／Ｄ変換手段と、
前記Ａ／Ｄ変換手段の変換結果に基づき、前記受信対象の信号のスロットにおける信号位置を測定する信号位置測定手段と、
前記第二トリガ信号が発生してから、前記信号位置に基づく所定回数だけ前記第一トリガ信号が発生した時にＡ／Ｄ変換用トリガ信号を前記Ａ／Ｄ変換手段に供給するトリガ供給手段と、
を備え、
前記Ａ／Ｄ変換手段は、信号位置測定後は、前記Ａ／Ｄ変換用トリガ信号の供給を受けた時に前記ＴＤＭＡ信号をＡ／Ｄ変換する、
ＴＤＭＡ信号受信装置。
【請求項２】
請求項１に記載のＴＤＭＡ信号受信装置であって、
前記信号位置測定手段は、前記Ａ／Ｄ変換手段の変換結果を高速フーリエ変換したものの振幅に基づき、前記信号位置を測定するＴＤＭＡ信号受信装置。
【請求項３】
請求項１に記載のＴＤＭＡ信号受信装置であって、
前記Ａ／Ｄ変換手段が複数あり、
前記信号位置測定手段は、各々の前記Ａ／Ｄ変換手段の変換結果の相関値に基づき、前記受信対象の信号のスロットにおける信号位置を測定する、
ＴＤＭＡ信号受信装置。
【請求項４】
請求項３に記載のＴＤＭＡ信号受信装置であって、
前記複数のＡ／Ｄ変換手段の内の一つのＡ／Ｄ変換手段に対応し、位置が固定された固定アンテナと、
前記一つのＡ／Ｄ変換手段以外の他のＡ／Ｄ変換手段に対応し、位置が平面上を移動する移動アンテナと、
各々の前記Ａ／Ｄ変換手段の変換結果の相関値に基づき、波源像を表示する波源像表示手段と、
を備えたＴＤＭＡ信号受信装置。
【請求項５】
請求項１ないし４のいずれか一項に記載のＴＤＭＡ信号受信装置であって、
前記Ａ／Ｄ変換手段の変換結果を高速フーリエ変換する高速フーリエ変換手段と、
前記高速フーリエ変換手段の変換結果に基づき前記受信対象の信号を測定する信号測定手段と、
を備えたＴＤＭＡ信号受信装置。
【請求項６】
請求項１ないし４のいずれか一項に記載のＴＤＭＡ信号受信装置であって、
前記トリガ信号生成手段は、
基準周波数信号を受信する基準周波数信号受信手段と、
前記基準周波数信号に基づき、前記第一トリガ信号および前記第二トリガ信号をリセットするトリガ信号リセット手段と、
を有するＴＤＭＡ信号受信装置。
【請求項７】
請求項６に記載のＴＤＭＡ信号受信装置であって、
前記基準周波数信号により前記ＴＤＭＡ信号の位相が固定されている、
ＴＤＭＡ信号受信装置。
【請求項８】
受信対象の信号が含まれているＴＤＭＡ信号を受信するＴＤＭＡ信号受信方法であって、
所定の間隔で発生する第一トリガ信号と、前記ＴＤＭＡ信号の１スロット分の間隔で発生し、前記第一トリガ信号を分周することにより得られる第二トリガ信号とを生成するトリガ信号生成工程と、
前記第一トリガ信号の発生時に、前記ＴＤＭＡ信号をＡ／Ｄ変換する第一Ａ／Ｄ変換工程と、
前記第一Ａ／Ｄ変換工程の変換結果に基づき、前記受信対象の信号のスロットにおける信号位置を測定する信号位置測定工程と、
前記第二トリガ信号が発生してから、前記信号位置に基づく所定回数だけ前記第一トリガ信号が発生した時にＡ／Ｄ変換用トリガ信号を供給するトリガ供給工程と、
前記Ａ／Ｄ変換用トリガ信号の供給を受けた時に前記ＴＤＭＡ信号をＡ／Ｄ変換する第二Ａ／Ｄ変換工程と、
を備えたＴＤＭＡ信号受信方法。
【請求項９】
受信対象の信号が含まれているＴＤＭＡ信号を受信するＴＤＭＡ信号受信装置であって、所定の間隔で発生する第一トリガ信号と、前記ＴＤＭＡ信号の１スロット分の間隔で発生し、前記第一トリガ信号を分周することにより得られる第二トリガ信号とを生成するトリガ信号生成手段と、前記第一トリガ信号の発生時に、前記ＴＤＭＡ信号をＡ／Ｄ変換し、信号位置測定後はＡ／Ｄ変換用トリガ信号の供給を受けた時に前記ＴＤＭＡ信号をＡ／Ｄ変換するＡ／Ｄ変換手段とを有するＴＤＭＡ信号受信装置におけるＴＤＭＡ信号受信処理をコンピュータに実行させるためのプログラムであって、
前記Ａ／Ｄ変換手段の変換結果に基づき、前記受信対象の信号のスロットにおける信号位置を測定する信号位置測定処理と、
前記第二トリガ信号が発生してから、前記信号位置に基づく所定回数だけ前記第一トリガ信号が発生した時に前記Ａ／Ｄ変換用トリガ信号を前記Ａ／Ｄ変換手段に供給するトリガ供給処理と、
をコンピュータに実行させるためのプログラム。
【請求項１０】
受信対象の信号が含まれているＴＤＭＡ信号を受信するＴＤＭＡ信号受信装置であって、所定の間隔で発生する第一トリガ信号と、前記ＴＤＭＡ信号の１スロット分の間隔で発生し、前記第一トリガ信号を分周することにより得られる第二トリガ信号とを生成するトリガ信号生成手段と、前記第一トリガ信号の発生時に、前記ＴＤＭＡ信号をＡ／Ｄ変換し、信号位置測定後はＡ／Ｄ変換用トリガ信号の供給を受けた時に前記ＴＤＭＡ信号をＡ／Ｄ変換するＡ／Ｄ変換手段とを有するＴＤＭＡ信号受信装置におけるＴＤＭＡ信号受信処理をコンピュータに実行させるためのプログラムを記録したコンピュータによって読み取り可能な記録媒体であって、
前記Ａ／Ｄ変換手段の変換結果に基づき、前記受信対象の信号のスロットにおける信号位置を測定する信号位置測定処理と、
前記第二トリガ信号が発生してから、前記信号位置に基づく所定回数だけ前記第一トリガ信号が発生した時に前記Ａ／Ｄ変換用トリガ信号を前記Ａ／Ｄ変換手段に供給するトリガ供給処理と、
をコンピュータに実行させるためのプログラムを記録したコンピュータによって読み取り可能な記録媒体。
【発明の詳細な説明】
【０００１】
【発明の属する技術分野】
本発明はＴＤＭＡ（Ｔｉｍｅ　Ｄｉｖｉｓｉｏｎ　Ｍｕｌｔｉｐｌｅ　Ａｃｃｅｓｓ）通信信号の抽出に関する。
【０００２】
【従来の技術】
従来より、携帯電話の通信にはＴＤＭＡが使用されている。ＴＤＭＡの通信信号から所望の成分を抽出するための従来の方法を説明する。まず、アンテナにより通信信号を受信する。この受信された信号をダウンコンバートしてＡ／Ｄ変換できる周波数にする。ダウンコンバートされた信号をＡ／Ｄ変換してから、ＦＦＴ（ｆａｓｔ　Ｆｏｕｒｉｅｒ　ｔｒａｎｓｆｏｒｍ：高速フーリエ変換）してメモリに記録しておく。受信された信号の全てをＦＦＴし終えてから、メモリに記録されたデータを解析して所望の成分を抽出する。
【０００３】
【発明が解決しようとする課題】
しかしながら、受信された信号の全てをＦＦＴしたものの大きさは非常に大きいため、メモリが非常に大容量のものであることを要する。また、解析に必要な時間も膨大なものとなる。このように、ＴＤＭＡの通信信号から所望の成分を抽出するための労力は非常に大きい。
【０００４】
そこで、本発明は、ＴＤＭＡの通信信号から所望の成分を抽出するための労力を軽減することを課題とする。
【０００５】
【課題を解決するための手段】
請求項１に記載の発明は、受信対象の信号が含まれているＴＤＭＡ信号を受信するＴＤＭＡ信号受信装置であって、所定の間隔で発生する第一トリガ信号と、ＴＤＭＡ信号の１スロット分の間隔で発生し、第一トリガ信号を分周することにより得られる第二トリガ信号とを生成するトリガ信号生成手段と、第一トリガ信号の発生時に、ＴＤＭＡ信号をＡ／Ｄ変換するＡ／Ｄ変換手段と、Ａ／Ｄ変換手段の変換結果に基づき、受信対象の信号のスロットにおける信号位置を測定する信号位置測定手段と、第二トリガ信号が発生してから、信号位置に基づく所定回数だけ第一トリガ信号が発生した時にＡ／Ｄ変換用トリガ信号をＡ／Ｄ変換手段に供給するトリガ供給手段とを備え、Ａ／Ｄ変換手段は、信号位置測定後は、Ａ／Ｄ変換用トリガ信号の供給を受けた時にＴＤＭＡ信号をＡ／Ｄ変換するように構成される。
【０００６】
上記のように構成されたＴＤＭＡ信号受信装置によれば、Ａ／Ｄ変換手段は、第二トリガ信号が発生してから信号位置に基づく所定回数だけ第一トリガ信号が発生した時にＴＤＭＡ信号をＡ／Ｄ変換する。よって、Ａ／Ｄ変換手段は、ＴＤＭＡ信号の全てをＡ／Ｄ変換する必要が無く、受信対象の信号を効率良くＡ／Ｄ変換することができる。したがって、ＴＤＭＡ信号から所望の成分を抽出するための労力を軽減できる。
【０００７】
請求項２に記載の発明は、請求項１に記載の発明であって、信号位置測定手段は、Ａ／Ｄ変換手段の変換結果を高速フーリエ変換したものの振幅に基づき、信号位置を測定するように構成される。
【０００８】
請求項３に記載の発明は、請求項１に記載の発明であって、Ａ／Ｄ変換手段が複数あり、信号位置測定手段は、各々のＡ／Ｄ変換手段の変換結果の相関値に基づき、受信対象の信号のスロットにおける信号位置を測定するように構成される。
【０００９】
周波数拡散された信号を受信したような場合は、ノイズと受信対象の信号との区別がつかない程、振幅値が乱れる。上記のように構成されたＴＤＭＡ信号受信装置によれば、相関値（例えば、コヒーレンス関数の値）に基づき信号位置を測定することで、振幅値の乱れに対処できる。
【００１０】
請求項４に記載の発明は、請求項３に記載の発明であって、複数のＡ／Ｄ変換手段の内の一つのＡ／Ｄ変換手段に対応し、位置が固定された固定アンテナと、一つのＡ／Ｄ変換手段以外の他のＡ／Ｄ変換手段に対応し、位置が平面上を移動する移動アンテナと、各々のＡ／Ｄ変換手段の変換結果の相関値に基づき、波源像を表示する波源像表示手段とを備えるように構成される。
【００１１】
請求項５に記載の発明は、請求項１ないし４のいずれか一項に記載の発明であって、Ａ／Ｄ変換手段の変換結果を高速フーリエ変換する高速フーリエ変換手段と、高速フーリエ変換手段の変換結果に基づき受信対象の信号を測定する信号測定手段とを備えるように構成される。
【００１２】
請求項６に記載の発明は、請求項１ないし４のいずれか一項に記載の発明であって、トリガ信号生成手段は、基準周波数信号を受信する基準周波数信号受信手段と、基準周波数信号に基づき、第一トリガ信号および第二トリガ信号をリセットするトリガ信号リセット手段とを有するように構成される。
【００１３】
上記のように構成されたＴＤＭＡ信号受信装置によれば、基準周波数信号受信手段により基準周波数信号を受信し、基準周波数信号に基づき第一トリガ信号および第二トリガ信号をリセットするため、第一トリガ信号および第二トリガ信号の発生するタイミングを正確にできる。
【００１４】
請求項７に記載の発明は、請求項６に記載の発明であって、基準周波数信号によりＴＤＭＡ信号の位相が固定されているように構成される。
【００１５】
上記のように構成されたＴＤＭＡ信号受信装置によれば、基準周波数信号によりＴＤＭＡ信号の位相が固定されているため、その基準周波数信号により第一トリガ信号および第二トリガ信号がリセットされれば、第一トリガ信号および第二トリガ信号の発生するタイミングをＴＤＭＡ信号と同期させられる。
【００１６】
請求項８に記載の発明は、受信対象の信号が含まれているＴＤＭＡ信号を受信するＴＤＭＡ信号受信方法であって、所定の間隔で発生する第一トリガ信号と、ＴＤＭＡ信号の１スロット分の間隔で発生し、第一トリガ信号を分周することにより得られる第二トリガ信号とを生成するトリガ信号生成工程と、第一トリガ信号の発生時に、ＴＤＭＡ信号をＡ／Ｄ変換する第一Ａ／Ｄ変換工程と、第一Ａ／Ｄ変換工程の変換結果に基づき、受信対象の信号のスロットにおける信号位置を測定する信号位置測定工程と、第二トリガ信号が発生してから、信号位置に基づく所定回数だけ第一トリガ信号が発生した時にＡ／Ｄ変換用トリガ信号を供給するトリガ供給工程と、Ａ／Ｄ変換用トリガ信号の供給を受けた時にＴＤＭＡ信号をＡ／Ｄ変換する第二Ａ／Ｄ変換工程とを備えるように構成される。
【００１７】
請求項９に記載の発明は、受信対象の信号が含まれているＴＤＭＡ信号を受信するＴＤＭＡ信号受信装置であって、所定の間隔で発生する第一トリガ信号と、ＴＤＭＡ信号の１スロット分の間隔で発生し、第一トリガ信号を分周することにより得られる第二トリガ信号とを生成するトリガ信号生成手段と、第一トリガ信号の発生時に、ＴＤＭＡ信号をＡ／Ｄ変換し、信号位置測定後はＡ／Ｄ変換用トリガ信号の供給を受けた時にＴＤＭＡ信号をＡ／Ｄ変換するＡ／Ｄ変換手段とを有するＴＤＭＡ信号受信装置におけるＴＤＭＡ信号受信処理をコンピュータに実行させるためのプログラムであって、Ａ／Ｄ変換手段の変換結果に基づき、受信対象の信号のスロットにおける信号位置を測定する信号位置測定処理と、第二トリガ信号が発生してから、信号位置に基づく所定回数だけ第一トリガ信号が発生した時にＡ／Ｄ変換用トリガ信号をＡ／Ｄ変換手段に供給するトリガ供給処理と、をコンピュータに実行させるためのプログラムである。
【００１８】
請求項１０に記載の発明は、受信対象の信号が含まれているＴＤＭＡ信号を受信するＴＤＭＡ信号受信装置であって、所定の間隔で発生する第一トリガ信号と、ＴＤＭＡ信号の１スロット分の間隔で発生し、第一トリガ信号を分周することにより得られる第二トリガ信号とを生成するトリガ信号生成手段と、第一トリガ信号の発生時に、ＴＤＭＡ信号をＡ／Ｄ変換し、信号位置測定後はＡ／Ｄ変換用トリガ信号の供給を受けた時にＴＤＭＡ信号をＡ／Ｄ変換するＡ／Ｄ変換手段とを有するＴＤＭＡ信号受信装置におけるＴＤＭＡ信号受信処理をコンピュータに実行させるためのプログラムを記録したコンピュータによって読み取り可能な記録媒体であって、Ａ／Ｄ変換手段の変換結果に基づき、受信対象の信号のスロットにおける信号位置を測定する信号位置測定処理と、第二トリガ信号が発生してから、信号位置に基づく所定回数だけ第一トリガ信号が発生した時にＡ／Ｄ変換用トリガ信号をＡ／Ｄ変換手段に供給するトリガ供給処理とをコンピュータに実行させるためのプログラムを記録したコンピュータによって読み取り可能な記録媒体である。
【００１９】
【発明の実施の形態】
以下、本発明の実施形態を図面を参照しながら説明する。
【００２０】
第一の実施形態
図１は、本発明の第一の実施形態にかかるＴＤＭＡ信号受信装置１の構成を示すブロック図である。ＴＤＭＡ信号受信装置１は、アンテナ１０、前変換部１２、Ａ／Ｄ変換部１４、ＦＦＴ部１６、信号位置測定部１８、信号測定部１９、第一トリガ信号生成器２０、分周器２２、トリガ供給部２４、第一メモリ３２、第二メモリ３４、第三メモリ３６を備える。なお、図２は、第一トリガ信号、第二トリガ信号、Ａ／Ｄ変換用トリガ信号およびＴＤＭＡ信号の関係を示すタイムチャートである。
【００２１】
アンテナ１０は、受信対象の信号が含まれているＴＤＭＡ信号を受信する。
【００２２】
前変換部１２は、受信されたＴＤＭＡ信号の周波数を変換（ダウンコンバート）して、Ａ／Ｄ変換が可能な周波数の信号にして出力する。前変換部１２は、例えばスペクトラムアナライザなどである。
【００２３】
Ａ／Ｄ変換部１４は、トリガ供給部２４から第一トリガ信号を受けた時に、前変換部１２により周波数が変換されたＴＤＭＡ信号をＡ／Ｄ変換して出力する。ただし、信号位置測定部１８による信号位置測定後は、Ａ／Ｄ変換用トリガ信号を受けた時に、前変換部１２により周波数が変換されたＴＤＭＡ信号をＡ／Ｄ変換して出力する。
【００２４】
図２の例でいえば、第一スロットにおいては、Ａ／Ｄ変換部１４は第一トリガ信号（図２（ｄ）参照）を受けた時にＡ／Ｄ変換を行う。第二スロット以降においては、Ａ／Ｄ変換用トリガ信号（図２（ｂ）参照）を受けた時にＡ／Ｄ変換を行う。
【００２５】
第一メモリ３２は、Ａ／Ｄ変換部１４の出力を記録する。ＦＦＴ部１６は、第一メモリ３２の記録内容を読み出してＦＦＴ（ｆａｓｔ　Ｆｏｕｒｉｅｒ　ｔｒａｎｓｆｏｒｍ：高速フーリエ変換）を行う。第二メモリ３４は、ＦＦＴ部１６の変換結果を記録する。
【００２６】
信号位置測定部１８は、第二メモリ３４の記録内容に基づき、受信対象の信号のスロットにおける信号位置を測定する。例えば、スロット内のデータの振幅が大きくなっているタイミングを信号位置とする。図２（ａ）の例でいえば、第一スロット内における“２”の位置において振幅が大きくなっているので、信号位置は“２”となる。
【００２７】
信号測定部１９は、第二メモリ３４の記録内容から受信対象の信号を測定する。第三メモリ３６は、信号測定部１９が測定した受信対象の信号を記録する。
【００２８】
第一トリガ信号生成器２０は、ＴＤＭＡ信号を測定する場合に必要な分解能を有する第一トリガ信号を生成する。分周器２２は、第一トリガ信号を分周して、１スロット分の間隔の第二トリガ信号を生成する。
【００２９】
図２の例でいえば、１スロット分の間隔は５ｍｓｅｃである（図２（ａ）参照）。よって、第二トリガ信号の間隔は５ｍｓｅｃとなり、周波数は２００Ｈｚとなる（図２（ｃ）参照）。また、分解能を１ｍｓｅｃとしたい場合は、第一トリガ信号の周波数は１ｋＨｚとなる（図２（ｄ）参照）。第一トリガ信号を分周することにより（ｎ＝５）、第二トリガ信号を得る。
【００３０】
トリガ供給部２４は、第二トリガ信号が発生してから、信号位置に基づく所定回数だけ第一トリガ信号が発生した時にＡ／Ｄ変換用トリガ信号をＡ／Ｄ変換部１４に供給する。
【００３１】
図２の例でいえば、信号位置が“２”であり（図２（ａ）参照）、これは第一トリガ信号の“２”に対応する（図２（ｄ）参照）。よって、第二トリガ信号が発生してから２回だけ第一トリガ信号が発生した時に、Ａ／Ｄ変換用トリガ信号をＡ／Ｄ変換部１４に供給する（図２（ｂ）参照）。なお、信号位置は第一スロットのデータに基づき測定されるため、Ａ／Ｄ変換用トリガ信号が供給されるのは第二スロット以降となる。Ａ／Ｄ変換用トリガ信号を供給する前は、トリガ供給部２４は第一トリガ信号を供給する。
【００３２】
次に、第一の実施形態の動作を説明する。
【００３３】
図３は、第一の実施形態の動作を示すフローチャートである。まず、ＴＤＭＡ信号受信装置１は、ＴＤＭＡ信号の第一スロットを測定する（Ｓ１０）。
【００３４】
第一スロットの測定手順を図４のフローチャートを参照して説明する。まず、トリガ供給部２４は分周器２２から第二トリガ信号を受ける（Ｓ１０２）。そして、第一トリガ信号生成器２０から第一トリガ信号を受けるまで待機する（Ｓ１０４）。トリガ供給部２４は第一トリガ信号を受けると（Ｓ１０４、Ｙｅｓ）、第一トリガ信号をＡ／Ｄ変換部１４に供給する（Ｓ１０６）。Ａ／Ｄ変換部１４は、前変換部１２により周波数が変換されたＴＤＭＡ信号をＡ／Ｄ変換して出力する（Ｓ１０８）。Ａ／Ｄ変換の結果は第一メモリ３２に記録される（Ｓ１１０）。ＦＦＴ部１６は、第一スロットの全てについてＡ／Ｄ変換の結果が第一メモリ３２に記録されたか否かを判定し（Ｓ１１２）、未だ第一スロットにおいてＡ／Ｄ変換されていないものがあれば（Ｓ１１２、Ｎｏ）、第一トリガ信号の供給（Ｓ１０６）に戻る。第一スロットにおいてＡ／Ｄ変換されていないものがなければ（Ｓ１１２、Ｙｅｓ）、ＦＦＴ部１６は第一メモリ３２の記録内容を読み出してＦＦＴを行う（Ｓ１１４）。ＦＦＴ部１６による変換結果は第二メモリ３４に記録される（Ｓ１１６）。
【００３５】
なお、図４においては、第一スロットの全てについてＡ／Ｄ変換を終えてからＦＦＴを行うことになっているが、それよりも前にＦＦＴを行うことも考えられる。
【００３６】
図３に戻り、ＴＤＭＡ信号の第一スロットの測定（Ｓ１０）の後は、信号位置（タイミング）の測定を行う（Ｓ２０）。すなわち、第二メモリ３４の記録内容に基づき、信号位置測定部１８が受信対象の信号のスロットにおける信号位置を測定する。第一スロットにおけるＡ／Ｄ変換の結果は、例えば図２（ａ）のようになっているので、信号位置は“２”となる。
【００３７】
そして、信号位置（タイミング）に合わせたＴＤＭＡ信号の測定を行う（Ｓ３０）。
【００３８】
信号位置（タイミング）に合わせたＴＤＭＡ信号の測定手順を図５のフローチャートを参照して説明する。まず、トリガ供給部２４は分周器２２から第二トリガ信号を受ける（Ｓ３０２）。そして、第一トリガ信号生成器２０から第一トリガ信号を信号位置に基づく所定回数受けるまで待機する（Ｓ３０５）。図２の例でいえば、第一トリガ信号を２回受けるまで待機する。待機し終えれば（Ｓ３０５、Ｙｅｓ）、Ａ／Ｄ変換用トリガ信号（図２（ｂ）参照）をＡ／Ｄ変換部１４に供給する（Ｓ３０７）。Ａ／Ｄ変換部１４は、前変換部１２により周波数が変換されたＴＤＭＡ信号をＡ／Ｄ変換して出力する（Ｓ３０８）。
【００３９】
Ａ／Ｄ変換の結果は第一メモリ３２に記録される（Ｓ３１０）。ＦＦＴ部１６は第一メモリ３２の記録内容を読み出してＦＦＴを行う（Ｓ３１４）。ＦＦＴ部１６による変換結果は第二メモリ３４に記録される（Ｓ３１６）。信号測定部１９は、第二メモリ３４の記録内容から受信対象の信号を測定する（Ｓ３１８）。第三メモリ３６は、信号測定部１９が測定した受信対象の信号を記録する（Ｓ３２０）。第二トリガ信号の受け（Ｓ３０２）から第三メモリ３６による受信対象の信号の記録（Ｓ３２０）までの工程は、停止命令（Ｓ３３０）が入るまで繰り返される。なお、停止命令（Ｓ３３０）は任意のタイミングで受けつけられる。
【００４０】
第一の実施形態によれば、Ａ／Ｄ変換部１４は、第二トリガ信号が発生してから信号位置に基づく所定回数だけ第一トリガ信号が発生した時にＴＤＭＡ信号をＡ／Ｄ変換する。よって、Ａ／Ｄ変換部１４は、ＴＤＭＡ信号の全てをＡ／Ｄ変換する必要が無く、受信対象の信号を効率良くＡ／Ｄ変換することができる。図２の例でいえば、第一トリガ信号が“２”のタイミングに対応するＴＤＭＡ信号をＡ／Ｄ変換すればよい。したがって、ＴＤＭＡ信号から所望の成分を抽出するための労力を軽減できる。
【００４１】
さらに、第一トリガ信号が“２”のタイミングに対応するＴＤＭＡ信号が無くなる場合（第五、六スロット）がある。この場合は、受信対象の信号が無いことになる。第五、六スロットにおいては“４”のタイミングに対応するデータの振幅が大きいが、これは受信対象の信号ではないので測定の必要はない。第一の実施形態によれば、第一トリガ信号が“２”のタイミングに対応するＴＤＭＡ信号をＡ／Ｄ変換するので、第五、六スロットにおける“４”のタイミングに対応するデータのような受信対象の信号ではないものを測定しなくてすむ。
【００４２】
第二の実施形態
第二の実施形態は、ＧＰＳ（Ｇｌｏｂａｌ　Ｐｏｓｉｔｉｏｎｉｎｇ　Ｓｙｓｔｅｍ）用衛星から基準周波数を受信して第一トリガ信号および第二トリガ信号をリセットする点が、第一の実施形態と異なる。
【００４３】
図６は、本発明の第二の実施形態にかかるＴＤＭＡ信号受信装置１の構成を示すブロック図である。ＴＤＭＡ信号受信装置１は、アンテナ１０、前変換部１２、Ａ／Ｄ変換部１４、ＦＦＴ部１６、信号位置測定部１８、信号測定部１９、トリガ信号源２０ａ、第一トリガ信号生成用分周器２０ｂ、分周器２２、トリガ供給部２４、ＧＰＳ受信器（基準周波数信号受信手段）２６ａ、リセット器２６ｂ、第一メモリ３２、第二メモリ３４、第三メモリ３６を備える。なお、第一の実施形態と同様な部分は同じ番号を付して説明を省略する。
【００４４】
アンテナ１０、前変換部１２、Ａ／Ｄ変換部１４、ＦＦＴ部１６、信号位置測定部１８、信号測定部１９、トリガ供給部２４、第一メモリ３２、第二メモリ３４、第三メモリ３６は第一の実施形態と同様であり説明を省略する。
【００４５】
トリガ信号源２０ａは所定の間隔で発生するトリガ信号を発生し、第一トリガ信号生成用分周器２０ｂがトリガ信号を分周して第一トリガ信号として出力する。分周器２２は、第一トリガ信号を分周して第二トリガ信号とする。なお、第一トリガ信号および第二トリガ信号は第一実施形態と同様である。
【００４６】
ＧＰＳ受信器（基準周波数信号受信手段）２６ａは、ＧＰＳ用衛星から基準周波数信号を受信する。リセット器２６ｂは、基準周波数信号に基づき、ある一定の間隔（例えば１秒）おきにリセット用パルスを第一トリガ信号生成用分周器２０ｂおよび分周器２２に送る。第一トリガ信号生成用分周器２０ｂおよび分周器２２は、リセット用パルスを受けて内部カウンタをリセットして、第一トリガ信号および第二トリガ信号をリセットする。
【００４７】
第二の実施形態の動作は、第一の実施形態と同様である。ただし、第一トリガ信号および第二トリガ信号のリセットのみが第一の実施形態と異なる。
【００４８】
第二の実施形態によれば、第一の実施形態と同様の効果を奏する。しかも、トリガ信号源２０ａの周波数の偏差による測定への悪影響が生じにくく、長時間の測定が可能となる。
【００４９】
例えば、ＰＨＳ通信において一通信の継続時間（図２（ａ）においては、振幅が大きくなる部分（タイミング“２”など）の幅）が６００μｓｅｃ程度である。また、トリガ信号源２０ａとして一般的な水晶発振器を使用した場合、安定度は１０−６程度である。よって、第一の実施形態のようなＴＤＭＡ信号受信装置１においては、６００秒程度しか、第一トリガ信号、第二トリガ信号およびＡ／Ｄ変換用トリガ信号がＴＤＭＡ信号と同期を維持できない。
【００５０】
しかし、第二の実施形態によれば、ＧＰＳ用衛星から送られる基準周波数信号に基づき、第一トリガ信号および第二トリガ信号をリセットする。ＰＨＳにおいて使用されるＴＤＭＡ信号は、ＧＰＳ用衛星から送られる基準周波数信号を使用して、位相ロックされている。よって、ＧＰＳ用衛星から送られる基準周波数信号に基づき、第一トリガ信号および第二トリガ信号をリセットすることにより、長時間にわたり第一トリガ信号、第二トリガ信号およびＡ／Ｄ変換用トリガ信号がＴＤＭＡ信号と同期を維持できる。
【００５１】
第三の実施形態
第三の実施形態は、Ａ／Ｄ変換部１４ａ、ｂの出力の相関値に基づき受信対象の信号のスロットにおける信号位置を測定する点が、第一および第二の実施形態と異なる。
【００５２】
図７は、本発明の第三の実施形態にかかるＴＤＭＡ信号受信装置１の構成を示すブロック図である。ＴＤＭＡ信号受信装置１は、アンテナ１０ａ、ｂ、前変換部１２ａ、ｂ、Ａ／Ｄ変換部１４ａ、ｂ、ＦＦＴ部１６ａ、ｂ、信号位置測定部１８、信号測定部１９、トリガ信号源２０、分周器２２、トリガ供給部２４ａ、ｂ、第一メモリ３２ａ、ｂ、第二メモリ３４、第三メモリ３６、波源像表示部４０を備える。なお、第一の実施形態と同様な部分は同じ番号を付して説明を省略する。
【００５３】
前変換部１２ａ、ｂ、Ａ／Ｄ変換部１４ａ、ｂ、ＦＦＴ部１６ａ、ｂ、信号測定部１９、トリガ信号源２０、分周器２２、トリガ供給部２４ａ、ｂ、第一メモリ３２ａ、ｂ、第二メモリ３４、第三メモリ３６は第一の実施形態と同様であり、説明を省略する。
【００５４】
アンテナ１０ａ、ｂは、受信対象の信号が含まれているＴＤＭＡ信号を受信する。ただし、アンテナ１０ａはある平面（観測面という）の上を移動し、アンテナ１０ｂは固定されている。
【００５５】
信号位置測定部１８は、ＦＦＴ部１６ａおよび１６ｂの変換結果（第二メモリ３４に記録されている）の相関値を計算することにより、受信対象の信号のスロットにおける信号位置を測定する。相関値の演算法は、特開平９−１３４１１３号公報に記載があるが、ここで説明する。ＦＦＴ部１６ａの変換結果をＳａ（ω）とし、ＦＦＴ部１６ｂの変換結果をＳｂ（ω）とする。ただし、ωは角周波数である。Ｓａ（ω）およびＳｂ（ω）がＬ個（Ｌは例えば１００）づつ第二メモリ３４に記録されている。ここで、コヒーレンス関数を用いて相関値を求める。コヒーレンス関数を以下に示す。
【００５６】
【数１】
2004040288.tif 000003
ただし、＜＞内は、Ｌ個のデータのアンサンブル平均、＊は複素共役を示す。相関値γ２（ω）は０以上１以下の値をとり、１に近い程、干渉性が高い。よって、相関値γ２（ω）が１に近い部分が、受信対象の信号のスロットにおける信号位置である。
【００５７】
波源像表示部４０は、信号位置測定部１８から相関値を取得し、相関値に基づいて波源像を表示する。波源像の求め方も、特開平９−１３４１１３号公報に記載があるが、ここで説明する。相関値に対してしきい値αを設定し、以下のように、積分操作関数ｆ（ω）を得る。
【００５８】
【数２】
2004040288.tif 000004
そして、観測面におけるアンテナ１０ｂの位置（ｘ、ｙ）ごとに、｜Ｓａ（ω）｜で規格化された複素相関値Ｃａｂ（ｘ、ｙ）が以下のように計算される。ただし、ω０は観測周波数帯域の中心角周波数である。
【００５９】
【数３】
2004040288.tif 000005
複素相関値Ｃａｂ（ｘ、ｙ）に基づき波源像が表示される。波源像の表示は、ＴＤＭＡ信号を送信した波源と観測面との距離ｚに応じて、近傍界領域での観測、フレネル（Ｆｒｅｓｎｅｌ）領域での観測、フラウンホーファー（Ｆｒａｕｎｈｏｆｅｒ）領域での観測の三通りの方法で実行される。これらの方法は周知であり、説明を省略する。
【００６０】
第三の実施形態の動作は、第一の実施形態と同様である。ただし、第一の実施形態における第一スロットの測定（Ｓ１０：図３参照）にかえて、Ｓａ（ω）およびＳｂ（ω）をＬ個（例えば１００個）取得するまでは、第一トリガ信号に応じてＡ／Ｄ変換部１４がＡ／Ｄ変換を行うようにする。
【００６１】
第三の実施形態によれば、第一の実施形態と同様の効果を奏する。しかも、ＴＤＭＡ信号の振幅の乱れに対応できる。
【００６２】
例えば、周波数拡散された信号を受信したような場合は、ノイズと受信対象の信号との区別がつかない程、振幅値が乱れる。よって、相関値（例えば、コヒーレンス関数の値）に基づき信号位置を測定することで、振幅値の乱れに対処できる。
【００６３】
なお、第三の実施形態において、トリガ信号源２０に変えて、トリガ信号源２０ａ、第一トリガ信号生成用分周器２０ｂを用いてもよい（第二の実施形態参照）。この場合は、ＧＰＳ受信器２６ａ、リセット器２６ｂをも用いる（第二の実施形態参照）。このようにすれば、第二の実施形態と同様に長時間にわたり第一トリガ信号、第二トリガ信号およびＡ／Ｄ変換用トリガ信号がＴＤＭＡ信号と同期を維持できる。
【００６４】
なお、上記の実施形態において、ＣＰＵ、ハードディスク、メディア（フロッピーディスク、ＣＤ−ＲＯＭなど）読み取り装置を備えたコンピュータのメディア読み取り装置に、上記の各部分（例えば、信号位置測定部１８、トリガ供給部２４）を実現するプログラムを記録したメディアを読み取らせて、ハードディスクにインストールする。このような方法でも、ＴＤＭＡ信号受信装置１を実現できる。
【００６５】
【発明の効果】
本発明によれば、Ａ／Ｄ変換手段は、第二トリガ信号が発生してから信号位置に基づく所定回数だけ第一トリガ信号が発生した時にＴＤＭＡ信号をＡ／Ｄ変換する。よって、Ａ／Ｄ変換手段は、ＴＤＭＡ信号の全てをＡ／Ｄ変換する必要が無く、受信対象の信号を効率良くＡ／Ｄ変換することができる。したがって、ＴＤＭＡ信号から所望の成分を抽出するための労力を軽減できる。
【図面の簡単な説明】
【図１】本発明の第一の実施形態にかかるＴＤＭＡ信号受信装置１の構成を示すブロック図である。
【図２】第一トリガ信号（図２（ｄ））、第二トリガ信号（図２（ｃ））、Ａ／Ｄ変換用トリガ信号（図２（ｂ））およびＴＤＭＡ信号（図２（ａ））の関係を示すタイムチャートである。
【図３】第一の実施形態の動作を示すフローチャートである。
【図４】第一スロットの測定手順を示すフローチャートである。
【図５】信号位置（タイミング）に合わせたＴＤＭＡ信号の測定手順を示すフローチャートである。
【図６】本発明の第二の実施形態にかかるＴＤＭＡ信号受信装置１の構成を示すブロック図である。
【図７】本発明の第三の実施形態にかかるＴＤＭＡ信号受信装置１の構成を示すブロック図である。
【符号の説明】
１　ＴＤＭＡ信号受信装置
１０　アンテナ
１２　前変換部
１４　Ａ／Ｄ変換部
１６　ＦＦＴ部
１８　信号位置測定部
１９　信号測定部
２０　第一トリガ信号生成器
２０ａ　トリガ信号源
２０ｂ　第一トリガ信号生成用分周器
２２　分周器
２４　トリガ供給部
２６ａ　ＧＰＳ受信器（基準周波数信号受信手段）
２６ｂ　リセット器
３２　第一メモリ
３４　第二メモリ
３６　第三メモリ
４０　波源像表示部
【図１】
2004040288.tif 000006
【図２】
2004040288.tif 000007
【図３】
2004040288.tif 000008
【図４】
2004040288.tif 000009
【図５】
2004040288.tif 000010
【図６】
2004040288.tif 000011
【図７】
2004040288.tif 000012